(57)【要約】【課題】白色に対応するサブ画素を少なくとも含む複数のサブ画素により１画素が構成された垂直配向型の液晶表示装置において、製造工程が増加するのを抑制しながら、視角特性を向上させることが可能な液晶表示装置を提供する。【解決手段】この液晶表示装置は、負の誘電率異方性を有する液晶分子からなる液晶層１と、白色のサブ画素２１ｄに対応する領域に設けられ、液晶層１の液晶分子の傾斜方向を規制するための突起１６と、赤色、緑色および青色の各サブ画素２１ａ〜２１ｃに対応する領域にそれぞれ設けられた赤色カラーフィルタ１２、緑色カラーフィルタ１３および青色カラーフィルタ１４とを備えている。そして、突起１６は、青色カラーフィルタ１４と同一の層からなる。【選択図】図３
2008233137.tif 000002
【特許請求の範囲】
【請求項１】
白色に対応する第１サブ画素と、白色以外の色に対応する第２サブ画素とにより１画素
が構成されている液晶表示装置であって、
負の誘電率異方性を有する液晶分子からなる液晶層と、
前記液晶層を挟んで互いに対向するように設けられた一対の基板と、
前記第１サブ画素に対応する領域に設けられ、前記液晶層の液晶分子の傾斜方向を規制
するための突起と、
前記第２サブ画素に対応する領域に設けられ、白色以外の色に着色されたカラーフィル
タとを備え、
前記突起および前記カラーフィルタは、前記一対の基板のうちの一方の基板の同一面側
に配置されており、
前記突起は、前記カラーフィルタと同一の層からなることを特徴とする液晶表示装置。
【請求項２】
前記カラーフィルタは、赤色に着色された赤色カラーフィルタと、緑色に着色された緑
色カラーフィルタと、青色に着色された青色カラーフィルタとを含み、
前記突起は、前記赤色カラーフィルタと同一の層、前記緑色カラーフィルタと同一の層
および前記青色カラーフィルタと同一の層のうちの少なくとも１つの層からなることを特
徴とする請求項１に記載の液晶表示装置。
【請求項３】
前記突起は、前記青色カラーフィルタと同一の層からなることを特徴とする請求項２に
記載の液晶表示装置。
【請求項４】
前記突起は、前記赤色カラーフィルタと同一の層、前記緑色カラーフィルタと同一の層
および前記青色カラーフィルタと同一の層のうちの２つ以上の層が積層された構造を有し
ていることを特徴とする請求項２に記載の液晶表示装置。
【請求項５】
前記一対の基板のうちの前記カラーフィルタが配置される一方の基板側に設けられ、前
記液晶層に対して電圧を印加するための共通電極をさらに備え、
前記共通電極の前記第２サブ画素に対応する領域の一部には、前記液晶層の液晶分子の
傾斜方向を規制するための開口部が形成されていることを特徴とする請求項１〜４のいず
れかに記載の液晶表示装置。
【発明の詳細な説明】
【技術分野】
【０００１】
この発明は、液晶表示装置に関し、特に、負の誘電率異方性を有する液晶分子からなる
液晶層を備えた液晶表示装置に関する。
【背景技術】
【０００２】
従来、負の誘電率異方性を有する液晶分子からなる液晶層を備えた垂直配向型の液晶表
示装置が知られている（たとえば、特許文献１参照）。
【０００３】
図７および図８は、上記した従来の垂直配向型の液晶表示装置の１画素分の断面を簡略
的に示した図である。なお、図７には、液晶層に対して電圧が印加されていない状態が示
されており、図８には、液晶層に対して電圧が印加された状態が示されている。図７およ
び図８を参照して、従来の垂直配向型の液晶表示装置は、負の誘電率異方性を有する液晶
分子１０１ａからなる液晶層１０１と、その液晶層１０１を挟んで互いに対向するように
配置された一対の基板１０２および１０３とを少なくとも含んでいる。一方の基板１０２
の液晶層１０１側の表面上には、図示しないが、画素電極などが形成されている。また、
他方の基板１０３の液晶層１０１側の表面上には、図示しないが、カラーフィルタおよび
共通電極などが順次形成されている。
【０００４】
そして、従来の垂直配向型の液晶表示装置では、基板１０２および１０３の各々の液晶
層１０１側の表面上に、液晶層１０１側に向かって突出するように形成された突起１０４
が設けられている。このような突起１０４を設けることによって、液晶層１０１に対して
電圧を印加した場合に、液晶層１０１の液晶分子１０１ａが図７に示す状態から図８に示
すように傾斜する。なお、液晶層１０１に対する電圧の印加は、図示しない画素電極およ
び共通電極によって行われる。
【０００５】
具体的には、まず、液晶層１０１に対して電圧が印加されていない状態（図７の状態）
では、液晶層１０１の液晶分子１０１ａは、基板１０２（１０３）の液晶層１０１側の表
面に対して垂直に配向している。ただし、突起１０４の近傍に位置する液晶分子１０１ａ
は、突起１０４の斜面の影響によりわずかに傾斜している。次に、液晶層１０１に対して
電圧を印加すると、図８に示すように、突起１０４の近傍に位置する液晶分子１０１ａ以
外の液晶分子１０１ａも、突起１０４の近傍に位置する液晶分子１０１ａと同一の方向に
傾斜し始める。すなわち、１つの画素内において、液晶分子１０１ａの傾斜方向が複数に
なる。
【０００６】
上記のように、従来の垂直配向型の液晶表示装置では、１つの画素内において、液晶層
１０１の液晶分子１０１ａの傾斜方向が複数になるように制御することができるので、視
角特性を向上させることが可能となる。
【０００７】
また、従来では、４つのサブ画素によって１画素が構成された液晶表示装置も知られて
いる（たとえば、特許文献２参照）。この特許文献２には、赤色（Ｒ）、緑色（Ｇ）およ
び青色（Ｂ）にそれぞれ対応する３つのサブ画素の他に、白色（Ｗ）に対応するサブ画素
をさらに加えた４つのサブ画素によって１画素が構成された液晶表示装置が開示されてい
る。特許文献２の液晶表示装置では、上記した４つのサブ画素により１画素を構成するこ
とによって、白色の輝度を高くすることが可能となる。
【０００８】
【特許文献１】特開２００６−３３７４６５号公報
【特許文献２】特開平１１−２９５７１７号公報
【発明の開示】
【発明が解決しようとする課題】
【０００９】
しかしながら、特許文献１に開示された従来の垂直配向型の液晶表示装置では、突起１
０４を形成するための工程を別途設ける必要があるので、製造工程が増加するという不都
合が生じる。その結果、従来の垂直配向型の液晶表示装置では、製造工程が増加するのを
抑制しながら、視角特性を向上させるのが困難であるという問題点がある。
【００１０】
また、赤色（Ｒ）、緑色（Ｇ）、青色（Ｂ）および白色（Ｗ）の４つのサブ画素によっ
て１画素が構成された特許文献２の液晶表示装置を垂直配向型とした場合においても、上
記した問題と同様の問題が生じる。
【００１１】
この発明は、上記のような課題を解決するためになされたものであり、この発明の目的
は、白色に対応するサブ画素を少なくとも含む複数のサブ画素により１画素が構成された
垂直配向型の液晶表示装置において、製造工程が増加するのを抑制しながら、視角特性を
向上させることが可能な液晶表示装置を提供することである。
【課題を解決するための手段】
【００１２】
上記目的を達成するために、この発明の一の局面による液晶表示装置は、白色に対応す
る第１サブ画素と、白色以外の色に対応する第２サブ画素とにより１画素が構成されてい
る液晶表示装置であって、負の誘電率異方性を有する液晶分子からなる液晶層と、液晶層
を挟んで互いに対向するように設けられた一対の基板と、第１サブ画素に対応する領域に
設けられ、液晶層の液晶分子の傾斜方向を規制するための突起と、第２サブ画素に対応す
る領域に設けられ、白色以外の色に着色されたカラーフィルタとを備えている。そして、
突起およびカラーフィルタは、一対の基板のうちの一方の基板の同一面側に配置されてお
り、突起は、カラーフィルタと同一の層からなる。
【００１３】
この一の局面による液晶表示装置では、上記のように、液晶層の液晶分子の傾斜方向を
規制するための突起を、カラーフィルタと同一の層からなるように構成することによって
、カラーフィルタを形成する際に、同時に、突起も形成することができる。具体的には、
カラーフィルタおよび突起を形成する際には、まず、第１サブ画素および第２サブ画素に
対応する領域を覆うように、カラーフィルタ（突起）の構成材料である着色レジストを塗
布する。この後、塗布された着色レジストに対して露光処理および現像処理を行うことに
よって、着色レジストの不要部分（カラーフィルタおよび突起に対応する領域以外の領域
）を除去する。これにより、着色レジストからなるカラーフィルタと、着色レジストから
なる突起とが同時に形成される。このように、一の局面では、カラーフィルタと突起とを
同時に形成することができるので、突起を形成するための工程を別途設ける必要がない。
その結果、液晶層の液晶分子の傾斜方向を突起によって規制するように構成したとしても
、製造工程が増加するのを抑制することができる。
【００１４】
上記一の局面による液晶表示装置において、好ましくは、カラーフィルタは、赤色に着
色された赤色カラーフィルタと、緑色に着色された緑色カラーフィルタと、青色に着色さ
れた青色カラーフィルタとを含み、突起は、赤色カラーフィルタと同一の層、緑色カラー
フィルタと同一の層および青色カラーフィルタと同一の層のうちの少なくとも１つの層か
らなる。このように構成すれば、赤色、緑色、青色および白色の各色に対応する４つのサ
ブ画素により１画素が構成されている液晶表示装置において、赤色カラーフィルタ、緑色
カラーフィルタおよび青色カラーフィルタのうちの少なくとも１つのカラーフィルタを形
成する際に、同時に、突起も形成することができる。
【００１５】
この場合、好ましくは、突起は、青色カラーフィルタと同一の層からなる。このように
構成すれば、青色は、赤色や緑色に比べて比視感度が低いので、以下のような効果を得る
ことができる。すなわち、白色に対応する第１サブ画素から突起（青色カラーフィルタと
同一の層）を透過した光が出射されたとしても、その光が視認されるのを抑制することが
できる。これにより、表示品位が低下するのを抑制することができる。
【００１６】
また、上記した３つのカラーフィルタ（赤色カラーフィルタ、緑色カラーフィルタおよ
び青色カラーフィルタ）を含む構成において、好ましくは、突起は、赤色カラーフィルタ
と同一の層、緑色カラーフィルタと同一の層および青色カラーフィルタと同一の層のうち
の２つ以上の層が積層された構造を有している。このように構成すれば、赤色、緑色およ
び青色の全ての波長域の光を突起で吸収することができるので、白色に対応する第１サブ
画素から色づけされた光が出射されるのを確実に抑制することができる。
【００１７】
上記一の局面による液晶表示装置において、好ましくは、一対の基板のうちのカラーフ
ィルタが配置される一方の基板側に設けられ、液晶層に対して電圧を印加するための共通
電極をさらに備え、共通電極の第２サブ画素に対応する領域の一部には、液晶層の液晶分
子の傾斜方向を規制するための開口部が形成されている。
【発明の効果】
【００１８】
以上のように、本発明によれば、白色に対応するサブ画素を少なくとも含む複数のサブ
画素により１画素が構成された垂直配向型の液晶表示装置において、製造工程が増加する
のを抑制しながら、視角特性を向上させることが可能な液晶表示装置を容易に得ることが
できる。
【発明を実施するための最良の形態】
【００１９】
図１は、本発明の一実施形態による液晶表示装置を構成する液晶表示パネルおよびバッ
クライトユニットの斜視図である。図２は、図１に示した一実施形態による液晶表示装置
に含まれる液晶表示パネルの画素の構成を説明するための概略図である。図３は、図１に
示した一実施形態による液晶表示装置に含まれる液晶表示パネルの断面図である（図２の
１００−１００線に沿った断面に対応する図）。図４は、図１に示した一実施形態による
液晶表示装置に含まれる液晶表示パネルの画素電極の平面形状を説明するための平面図で
あり、図５は、図１に示した一実施形態による液晶表示装置に含まれる液晶表示パネルの
共通電極の平面形状を説明するための平面図である。まず、図１〜図５を参照して、本実
施形態による液晶表示装置の構造について説明する。
【００２０】
本実施形態の液晶表示装置は、たとえば、屋外に持ち運び可能な携帯電話などの携帯機
器に用いられる。また、本実施形態の液晶表示装置は、図１に示すように、液晶表示パネ
ル２０と、バックライトユニット３０とを備えている。液晶表示パネル２０は、マトリク
ス状に配列された複数の画素（破線で囲まれた領域）２１を有しているとともに、その前
面（以下、表示面２０ａと言う）に所望の画像を表示するように構成されている。また、
バックライトユニット３０は、液晶表示パネル２０の表示面２０ａとは反対の背面２０ｂ
側に設けられている。このバックライトユニット３０は、液晶表示パネル２０の背面２０
ｂ側から液晶表示パネル２０に対してバックライト光（バックライトユニット３０で生成
された光）Ｌ２を照射するように構成されている。
【００２１】
また、本実施形態の液晶表示パネル２０は、図１および図２に示すように、複数の画素
２１の各々が４つのサブ画素２１ａ、２１ｂ、２１ｃおよび２１ｄを含むように構成され
ている。すなわち、本実施形態では、１画素２１が４つのサブ画素２１ａ〜２１ｄにより
構成されていることになる。この１画素２１を構成する４つのサブ画素２１ａ〜２１ｄは
、それぞれ、赤色（Ｒ）、緑色（Ｇ）、青色（Ｂ）および白色（Ｗ）に対応している。な
お、赤色（Ｒ）、緑色（Ｇ）および青色（Ｂ）の各サブ画素２１ａ〜２１ｃは、本発明の
「第２サブ画素」の一例であり、白色（Ｗ）のサブ画素２１ｄは、本発明の「第１サブ画
素」の一例である。
【００２２】
また、本実施形態の液晶表示パネル２０は、赤色（Ｒ）、緑色（Ｇ）および青色（Ｂ）
の各サブ画素２１ａ〜２１ｃによってカラー画像の表示が行われ、白色（Ｗ）のサブ画素
２１ｄによってモノクロ画像の表示が行われるように構成されている。このように、白色
（Ｗ）のサブ画素２１ｄをモノクロ画像の表示に用いれば、カラー画像の表示とモノクロ
画像の表示とを用途に合わせて切り替えることが可能となる。なお、特許文献２に開示さ
れた液晶表示装置のように、白色（Ｗ）のサブ画素２１ｄを、赤色（Ｒ）、緑色（Ｇ）お
よび青色（Ｂ）の各サブ画素２１ａ〜２１ｃと共にカラー画像の表示に用いてもよい。
【００２３】
さらに、本実施形態の液晶表示パネル２０は、赤色（Ｒ）、緑色（Ｇ）および青色（Ｂ
）の各サブ画素２１ａ〜２１ｃによるカラー画像の表示動作が透過表示モードで行われ、
白色（Ｗ）のサブ画素２１ｄによるモノクロ画像の表示動作が反射表示モードで行われる
ように構成されている。
【００２４】
なお、透過表示モードとは、液晶表示パネル２０の背面２０ｂから液晶表示パネル２０
に入射したバックライト光Ｌ２を液晶表示パネル２０の表示面２０ａに向かって透過させ
ることによって、変調されたバックライト光（表示光）Ｌ２を液晶表示パネル２０の表示
面２０ａから出射するモードである。その一方、反射表示モードとは、液晶表示パネル２
０の表示面２０ａから液晶表示パネル２０に入射した外光（たとえば、太陽光など）Ｌ１
を液晶表示パネル２０の表示面２０ａに向かって反射することによって、変調された外光
（表示光）Ｌ１を液晶表示パネル２０の表示面２０ａから出射するモードである。すなわ
ち、本実施形態では、赤色（Ｒ）、緑色（Ｇ）および青色（Ｂ）の各サブ画素２１ａ〜２
１ｃに対応する領域が透過領域となっており、白色（Ｗ）のサブ画素２１ｄに対応する領
域が反射領域となっている。このように、白色（Ｗ）のサブ画素２１ｄによるモノクロ画
像の表示を反射表示モードで行えば、モノクロ画像を表示する際にバックライト光Ｌ２が
不要となるので、消費電極を低減することができる。
【００２５】
以下に、本実施形態の液晶表示パネル２０の構造を具体的に説明する。
【００２６】
本実施形態の液晶表示パネル２０は、図３に示すように、負の誘電率異方性を有する液
晶分子からなる液晶層１と、その液晶層１を挟んで互いに対向するように設けられたガラ
ス基板２および３とを少なくとも含んでいる。一方のガラス基板２は、液晶層１の背面側
に位置しているとともに、他方のガラス基板３は、液晶層１の前面側に位置している。な
お、ガラス基板２および３は、本発明の「基板」の一例である。
【００２７】
ガラス基板２には、互いに交差するように配置された複数のゲート線４（図２参照）お
よび複数のデータ線５（図２参照）と、赤色（Ｒ）、緑色（Ｇ）、青色（Ｂ）および白色
（Ｗ）の各サブ画素２１ａ〜２１ｄに対応する領域に１つずつ配置された複数の薄膜トラ
ンジスタ６（図２参照）とが作り込まれている。そして、薄膜トランジスタ６のゲートは
、ゲート線４に接続されている。また、薄膜トランジスタ６のソース／ドレインの一方は
、データ線５に接続されている。さらに、薄膜トランジスタ６のソース／ドレインの他方
は、後述する画素電極８に接続されている。なお、図３には、図面の簡略化のため、ゲー
ト線４、データ線５および薄膜トランジスタ６は図示していない。
【００２８】
また、ガラス基板２の前面側の表面上には、透光性のアクリル樹脂からなる樹脂膜７が
形成されている。この樹脂膜７の赤色（Ｒ）、緑色（Ｇ）および青色（Ｂ）の各サブ画素
２１ａ〜２１ｃに対応する領域は、その前面側の表面が平坦になっている一方、樹脂膜７
の白色（Ｗ）のサブ画素２１ｄに対応する領域は、その前面側の表面が凹凸形状になって
いる。
【００２９】
また、樹脂膜７の前面側の表面上には、後述する共通電極１７と共に液晶層１に対して
電圧を印加するための画素電極８が形成されている。この画素電極８は、赤色（Ｒ）、緑
色（Ｇ）、青色（Ｂ）および白色（Ｗ）の各サブ画素２１ａ〜２１ｄに対応する領域に１
つずつ独立して配置されている。また、画素電極８は、樹脂膜７に形成されたコンタクト
ホール（図示せず）を介して、対応する薄膜トランジスタ６（図２参照）のソース／ドレ
インの他方に接続されている。
【００３０】
また、赤色（Ｒ）、緑色（Ｇ）および青色（Ｂ）の各サブ画素２１ａ〜２１ｃの画素電
極８は、ＩＴＯ（Ｉｎｄｉｕｍ  Ｔｉｎ  Ｏｘｉｄｅ）からなる透明導電膜９のみによっ
て構成されている。その一方、白色（Ｗ）のサブ画素２１ｄの画素電極８は、アルミニウ
ムからなる反射膜１０とＩＴＯからなる透明導電膜９とが順次積層された２層構造体によ
って構成されている。
【００３１】
なお、白色（Ｗ）のサブ画素２１ｄの画素電極８に含まれる反射膜１０は、液晶表示パ
ネル２０の表示面２０ａから液晶表示パネル２０に入射した外光Ｌ１を液晶表示パネル２
０の表示面２０ａに向かって反射し、液晶表示パネル２０の背面２０ｂから液晶表示パネ
ル２０に入射したバックライト光Ｌ２を液晶表示パネル２０の背面２０ｂに向かって反射
するために設けられている。すなわち、本実施形態の液晶表示パネル２０では、赤色（Ｒ
）、緑色（Ｇ）および青色（Ｂ）の各サブ画素２１ａ〜２１ｃに対応する領域に入射した
光（外光Ｌ１およびバックライト光Ｌ２）が透過し、白色（Ｗ）のサブ画素２１ｄに入射
した光（外光Ｌ１およびバックライト光Ｌ２）が反射する。したがって、本実施形態では
、赤色（Ｒ）、緑色（Ｇ）および青色（Ｂ）の各サブ画素２１ａ〜２１ｃによる画像の表
示動作が透過表示モードで行われ、白色（Ｗ）のサブ画素２１ｄによる画像の表示動作が
反射表示モードで行われることになる。
【００３２】
また、赤色（Ｒ）、緑色（Ｇ）および青色（Ｂ）の各サブ画素２１ａ〜２１ｃの画素電
極８は、下地層としての樹脂膜７の表面が平坦であるため、平坦な形状となっている。そ
の一方、白色（Ｗ）のサブ画素２１ｄの画素電極８は、下地層としての樹脂膜７の表面が
凹凸形状であるため、その樹脂膜７の表面の凹凸形状を反映した凹凸形状となっている。
【００３３】
また、赤色（Ｒ）、緑色（Ｇ）、青色（Ｂ）および白色（Ｗ）の各サブ画素２１ａ〜２
１ｄの画素電極８は、液晶層１の液晶分子の傾斜方向を規制することが可能な平面形状を
有している。具体的には、図４に示すように、画素電極８は、赤色（Ｒ）のサブ画素２１
ａに着目すると、サブ画素２１ａの長手方向に沿って所定の間隔を隔てて配列された３つ
の島状部８ａと、その３つの島状部８ａを互いに電気的に連結するための２つの連結部８
ｂとを有している。また、平面的に見て、画素電極８の島状部８ａは、正八角形状に形成
されているとともに、画素電極８の連結部８ｂは、隣り合う島状部８ａの間の領域に配置
されている。なお、緑色（Ｇ）、青色（Ｂ）および白色（Ｗ）の各サブ画素２１ｂ〜２１
ｄの画素電極８についても、赤色（Ｒ）のサブ画素２１ａの画素電極８と同様の平面形状
を有している。
【００３４】
赤色（Ｒ）、緑色（Ｇ）、青色（Ｂ）および白色（Ｗ）の各サブ画素２１ａ〜２１ｄの
画素電極８を図４に示す形状にすることによって、液晶層１（図３参照）に対して電圧を
印加する際に、画素電極８の島状部８ａの端部に斜め電界が生じる。このため、液晶層１
の液晶分子は、平面的に見て、画素電極８の正八角形状の島状部８ａの辺に対して垂直に
なる方向に倒れる。すなわち、液晶層１の液晶分子は、平面的に見て、画素電極８の正八
角形状の島状部８ａの中心に向かって放射状に傾斜する。これにより、１つのサブ画素（
２１ａ〜２１ｄ）内において、液晶層１の液晶分子の傾斜方向が複数になるので、視角特
性を向上させることができる。
【００３５】
また、図３に示すように、ガラス基板３の背面側の表面上には、赤色（Ｒ）、緑色（Ｇ
）、青色（Ｂ）および白色（Ｗ）の各サブ画素２１ａ〜２１ｄに対応する領域を取り囲む
ように、クロムからなるブラックマトリクス１１が形成されている。そして、赤色（Ｒ）
、緑色（Ｇ）、青色（Ｂ）および白色（Ｗ）の各サブ画素２１ａ〜２１ｄは、ブラックマ
トリクス１１によって仕切られている。
【００３６】
また、赤色（Ｒ）のサブ画素２１ａに対応する領域には、ブラックマトリクス１１の開
口部１１ａを埋め込むように、赤色に着色された赤色カラーフィルタ１２が形成されてい
る。また、緑色（Ｇ）のサブ画素２１ｂに対応する領域には、ブラックマトリクス１１の
開口部１１ａを埋め込むように、緑色に着色された緑色カラーフィルタ１３が形成されて
いる。また、青色（Ｂ）のサブ画素２１ｃに対応する領域には、ブラックマトリクス１１
の開口部１１ａを埋め込むように、青色に着色された青色カラーフィルタ１４が形成され
ている。なお、白色（Ｗ）のサブ画素２１ｄに対応する領域には、カラーフィルタは設け
られていない。
【００３７】
これにより、赤色（Ｒ）のサブ画素２１ａに対応する領域では、液晶表示パネル２０の
背面２０ｂからバックライト光Ｌ２が入射されると、そのバックライト光Ｌ２が赤色カラ
ーフィルタ１２を介して液晶表示パネル２０の表示面２０ａから出射される。また、緑色
（Ｇ）のサブ画素２１ｂに対応する領域では、液晶表示パネル２０の背面２０ｂからバッ
クライト光Ｌ２が入射されると、そのバックライト光Ｌ２が緑色カラーフィルタ１３を介
して液晶表示パネル２０の表示面２０ａから出射される。また、青色（Ｂ）のサブ画素２
１ｃに対応する領域では、液晶表示パネル２０の背面２０ｂからバックライト光Ｌ２が入
射されると、そのバックライト光Ｌ２が青色カラーフィルタ１４を介して液晶表示パネル
２０の表示面２０ａから出射される。その一方、白色（Ｗ）のサブ画素２１ｄに対応する
領域では、液晶表示パネル２０の表示面２０ａから入射した外光Ｌ１が反射膜１０で反射
されると、その外光Ｌ１がカラーフィルタを介さずに液晶表示パネル２０の表示面２０ａ
から出射されることになる。
【００３８】
また、白色（Ｗ）のサブ画素２１ｄに対応する領域には、ブラックマトリクス１１の開
口部１１ａを埋め込むように、透光性のアクリル樹脂からなるトップコート膜１５が形成
されている。このトップコート膜１５は、その厚みが以下のように設定されている。すな
わち、トップコート膜１５の厚みは、反射表示領域（白色（Ｗ）のサブ画素２１ｄに対応
する領域）における液晶層１の厚み（セルギャップ）が、透過表示領域（赤色（Ｒ）、緑
色（Ｇ）および青色（Ｂ）の各サブ画素２１ａ〜２１ｃに対応する領域）におけるセルギ
ャップの半分となるように設定されている。このように設定することによって、透過表示
領域から出射される表示光（バックライト光Ｌ２）の液晶層１における光路長と、反射表
示領域から出射される表示光（外光Ｌ１）の液晶層１における光路長とが実質的に等しく
なる。
【００３９】
ここで、本実施形態では、白色（Ｗ）のサブ画素２１ｄに対応する領域に位置するトッ
プコート膜１５の背面側の表面上に、青色カラーフィルタ１４と同一の層からなるととも
に、液晶層１側に向かって突出するような形状を有する突起１６が形成されている。この
突起１６は、後述する共通電極１７側において、液晶層１の液晶分子の傾斜方向を規制す
るために設けられている。
【００４０】
また、赤色（Ｒ）、緑色（Ｇ）、青色（Ｂ）および白色（Ｗ）の各サブ画素２１ａ〜２
１ｄに対応する領域には、画素電極８と共に液晶層１に対して電圧を印加するための共通
電極１７が設けられている。この共通電極１７の赤色（Ｒ）、緑色（Ｇ）および青色（Ｂ
）の各サブ画素２１ａ〜２１ｃに対応する領域は、カラーフィルタ(１２〜１４)の背面側
の表面上に位置している。その一方、共通電極１７の白色（Ｗ）のサブ画素２１ｄに対応
する領域は、トップコート膜１５および突起１６を覆っている。なお、共通電極１７は、
ＩＴＯからなる透明導電膜によって構成されている。
【００４１】
また、共通電極１７の赤色（Ｒ）、緑色（Ｇ）および青色（Ｂ）の各サブ画素２１ａ〜
２１ｃに対応する領域は、液晶層１の液晶分子の傾斜方向を規制することが可能な平面形
状を有している。具体的には、図５に示すように、赤色（Ｒ）のサブ画素２１ａに着目す
ると、共通電極１７の赤色（Ｒ）のサブ画素２１ａに対応する領域には、平面的に見て、
円形状の３つの開口部１７ａが形成されている。この共通電極１７の３つの開口部１７ａ
は、平面的に見て、画素電極８の３つの島状部８ａの各々の中央部に１つずつ配置されて
いる。なお、共通電極１７の緑色（Ｇ）および青色（Ｂ）の各サブ画素２１ｂおよび２１
ｃに対応する領域についても、共通電極１７の赤色（Ｒ）のサブ画素２１ａに対応する領
域と同様の平面形状を有している。その一方、共通電極１７の白色（Ｗ）のサブ画素２１
ｄに対応する領域には、上記したような開口部１７ａが形成されていない。
【００４２】
共通電極１７の赤色（Ｒ）、緑色（Ｇ）および青色（Ｂ）の各サブ画素２１ａ〜２１ｃ
に対応する領域を図５に示す形状にすることによって、液晶層１（図３参照）に対する電
圧の印加が行われると、液晶層１の液晶分子は、平面的に見て、共通電極１７の開口部１
７ａを中心として放射状に傾斜する。このため、画素電極８側だけでなく、共通電極１７
側においても、更に視角特性を向上させるための配向制御（液晶層１の液晶分子の傾斜方
向の規制）が行われることになる。したがって、共通電極１７の開口部１７ａは必ずしも
必要というわけではないが、開口部１７ａが形成された共通電極１７を用いる方が好まし
い。
【００４３】
また、図３に示すように、共通電極１７の白色（Ｗ）のサブ画素２１ｄに対応する領域
は、その一部が突起１６の外形を反映した形状となっている。すなわち、共通電極１７の
白色（Ｗ）のサブ画素２１ｄに対応する領域の一部は、液晶層１側に向かって突出してい
る。そして、白色（Ｗ）のサブ画素２１ｄに対応する領域における共通電極１７側の配向
制御は、共通電極１７の液晶層１側に向かって突出した部分によって行われる。具体的に
は、液晶層１に対する電圧の印加が行われると、液晶層１の液晶分子は、突起１６に対応
する領域を中心として放射状に傾斜する。
【００４４】
なお、共通電極１７の赤色（Ｒ）、緑色（Ｇ）および青色（Ｂ）の各サブ画素２１ａ〜
２１ｃに対応する領域に加えて、共通電極１７の白色（Ｗ）のサブ画素２１ｄに対応する
領域にも配向制御用の開口部１７ａを形成しようとすると、以下のような不都合が生じる
。すなわち、エッチング技術を用いて配向制御用の開口部１７ａを形成する場合、共通電
極１７の赤色（Ｒ）、緑色（Ｇ）および青色（Ｂ）の各サブ画素２１ａ〜２１ｃに対応す
る領域には、共通電極１７の下地としてカラーフィルタ（１２〜１４）が存在し、共通電
極１７の白色（Ｗ）のサブ画素２１ｄに対応する領域には、共通電極１７の下地としてト
ップコート膜１５が存在することになる。このため、赤色（Ｒ）、緑色（Ｇ）および青色
（Ｂ）の各サブ画素２１ａ〜２１ｃに対応する領域と、白色（Ｗ）のサブ画素２１ｄに対
応する領域との間でエッチングの進行が異なるので、開口部１７ａの仕上がりの制御が非
常に困難となる。
【００４５】
また、図示しないが、画素電極８の前面側の表面上および共通電極１７の背面側の表面
上には、それぞれ、ポリイミド樹脂からなる配向膜が形成されている。すなわち、液晶層
１は、一対の配向膜(図示せず)によって挟持されている。
【００４６】
本実施形態では、上記のように、液晶層１の液晶分子の傾斜方向を規制するための突起
１６を、青色カラーフィルタ１４と同一の層からなるように構成することによって、青色
カラーフィルタ１４を形成する際に、同時に、突起１６も形成することができる。具体的
には、青色カラーフィルタ１４および突起１６を形成する際には、まず、赤色（Ｒ）、緑
色（Ｇ）、青色（Ｂ）および白色（Ｗ）の各サブ画素２１ａ〜２１ｄに対応する領域を覆
うように、青色カラーフィルタ１４（突起１６）の構成材料である着色レジストを塗布す
る。この後、塗布された着色レジストに対して露光処理および現像処理を行うことによっ
て、着色レジストの不要部分（青色カラーフィルタ１４および突起１６に対応する領域以
外の領域）を除去する。これにより、青色カラーフィルタ１４と突起１６とが同時に形成
される。このように、本実施形態では、青色カラーフィルタ１４と突起１６とを同時に形
成することができるので、突起１６を形成するための工程を別途設ける必要がない。その
結果、液晶層１の液晶分子の傾斜方向を突起１６によって規制するように構成したとして
も、製造工程が増加するのを抑制することができる。
【００４７】
なお、上記実施形態では、白色（Ｗ）のサブ画素２１ｄに対応する領域にのみ、青色カ
ラーフィルタ１４の構成材料である着色レジストからなる突起１６を形成しているが、た
とえば、赤色（Ｒ）および緑色（Ｇ）の各サブ画素２１ａおよび２１ｂに対応する領域に
既に赤色カラーフィルタ１２および緑色カラーフィルタ１３が形成されている場合には、
この赤色カラーフィルタ１２および緑色カラーフィルタ１３の背面側の表面上に青色カラ
ーフィルタ１４の構成材料である着色レジストからなる突起１６を形成してもよい。
【００４８】
また、本実施形態では、上記のように構成することによって、青色は、赤色や緑色に比
べて比視感度が低いので、以下のような効果を得ることができる。すなわち、白色（Ｗ）
のサブ画素２１ｄから突起１６（青色カラーフィルタ１４と同一の層）を透過した光が出
射されたとしても、その光が視認されるのを抑制することができる。これにより、表示品
位が低下するのを抑制することができる。
【００４９】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００５０】
たとえば、上記実施形態では、赤色（Ｒ）、緑色（Ｇ）および青色（Ｂ）の各サブ画素
に対応する領域を透過表示領域とし、白色（Ｗ）のサブ画素に対応する領域を反射表示領
域としたが、本発明はこれに限らず、赤色（Ｒ）、緑色（Ｇ）および青色（Ｂ）の各サブ
画素に対応する領域を反射表示領域とし、白色（Ｗ）のサブ画素に対応する領域を透過表
示領域としてもよい。また、赤色（Ｒ）、緑色（Ｇ）、青色（Ｂ）および白色（Ｗ）の各
サブ画素に対応する領域の全てを透過表示領域としてもよい。
【００５１】
なお、白色（Ｗ）のサブ画素に対応する領域を透過表示領域とする場合には、白色（Ｗ
）のサブ画素に対応する領域にトップコート膜を設ける必要がないので、共通電極の白色
（Ｗ）のサブ画素に対応する領域の下地層がガラス基板となる。この場合、共通電極の赤
色（Ｒ）、緑色（Ｇ）および青色（Ｂ）の各サブ画素に対応する領域と、共通電極の白色
（Ｗ）のサブ画素に対応する領域との間でエッチングレートに差が生じる。このため、上
記の場合に、共通電極の赤色（Ｒ）、緑色（Ｇ）および青色（Ｂ）の各サブ画素に対応す
る領域に加えて、共通電極の白色（Ｗ）のサブ画素に対応する領域にも配向制御用の開口
部を形成しようとすると、以下のような不都合が生じる。すなわち、エッチング技術を用
いて配向制御用の開口部を形成する場合に、共通電極の赤色（Ｒ）、緑色（Ｇ）および青
色（Ｂ）の各サブ画素に対応する領域と、共通電極の白色（Ｗ）のサブ画素に対応する領
域との間で配向制御用の開口部の仕上がりに差が生じるという不都合が生じる。したがっ
て、白色（Ｗ）のサブ画素に対応する領域を透過表示領域とする場合には、白色（Ｗ）の
サブ画素に対応する領域における共通電極側の配向制御を突起によって行うようにするの
が好ましい。
【００５２】
また、上記実施形態では、液晶層の液晶分子の傾斜方向を規制するための突起を、青色
カラーフィルタと同一の層からなるように構成したが、本発明はこれに限らず、赤色カラ
ーフィルタと同一の層によって突起を構成してもよいし、緑色カラーフィルタと同一の層
によって突起を構成してもよい。
【００５３】
また、上記実施形態では、青色カラーフィルタと同一の層からなる単層構造の突起を設
けるようにしたが、本発明はこれに限らず、赤色カラーフィルタと同一の層、緑色カラー
フィルタと同一の層および青色カラーフィルタと同一の層のうちの２つ以上の層が積層さ
れた多層構造の突起を設けるようにしてもよい。たとえば、図６に示す変形例のように、
赤色カラーフィルタ１２と同一の層、緑色カラーフィルタ１３と同一の層および青色カラ
ーフィルタ１４と同一の層の３つが順次積層された多層構造体からなる突起１６を設ける
ようにしてもよい。このように構成すれば、赤色、緑色および青色の全ての波長域の光を
突起１６で吸収することができるので、白色（Ｗ）のサブ画素２１ｄから色づけされた光
が出射されるのを確実に抑制することができる。
【図面の簡単な説明】
【００５４】
【図１】本発明の一実施形態による液晶表示装置を構成する液晶表示パネルおよびバックライトユニットの斜視図である。
【図２】図１に示した一実施形態による液晶表示装置に含まれる液晶表示パネルの画素の構成を説明するための概略図である。
【図３】図１に示した一実施形態による液晶表示装置に含まれる液晶表示パネルの断面図である（図２の１００−１００線に沿った断面に対応する図）。
【図４】図１に示した一実施形態による液晶表示装置に含まれる液晶表示パネルの画素電極の平面形状を説明するための平面図である。
【図５】図１に示した一実施形態による液晶表示装置に含まれる液晶表示パネルの共通電極の平面形状を説明するための平面図である。
【図６】本発明の変形例による液晶表示装置に含まれる液晶表示パネルの断面図である。
【図７】従来の垂直配向型の液晶表示装置の１画素分の断面を簡略的に示した図である（液晶層に対して電圧が印加されていない状態を示した図）。
【図８】従来の垂直配向型の液晶表示装置の１画素分の断面を簡略的に示した図である（液晶層に対して電圧が印加された状態を示した図）。
【符号の説明】
【００５５】
１  液晶層
２、３  ガラス基板（基板）
１２  赤色カラーフィルタ（カラーフィルタ）
１３  緑色カラーフィルタ（カラーフィルタ）
１４  青色カラーフィルタ（カラーフィルタ）
１６  突起
２１  画素
２１ａ、２１ｂ、２１ｃ  サブ画素（第２サブ画素）
２１ｄ  サブ画素（第１サブ画素）
【図１】
2008233137.tif 000003
【図２】
2008233137.tif 000004
【図３】
2008233137.tif 000005
【図４】
2008233137.tif 000006
【図５】
2008233137.tif 000007
【図６】
2008233137.tif 000008
【図７】
2008233137.tif 000009
【図８】
2008233137.tif 000010